(57)【特許請求の範囲】
【請求項１】
モータコイルと、
前記モータコイルに誘起された誘起電圧を検出する電圧検出部と、
前記電圧検出部により検出された前記誘起電圧に基づいて、前記モータの回転検出あるいは前記モータ周辺の外部磁界検出を行う検出手段と
を備えた電子機器において、
前記誘起電圧を前記電圧検出部が検出する際の検出感度を切換える感度切換手段と、
前記モータコイルを介して受信した受信信号が前記電圧検出部を介して受信データとして入力される受信手段とを備え、
前記感度切換手段は、前記モータの回転検出時あるいは前記モータ周辺の外部磁界検出時の前記検出感度と、前記受信手段が受信信号を受信する時の前記検出感度とが異なるように前記検出感度を切換えることを特徴とする電子機器。
【請求項２】
請求項１記載の電子機器において、
前記電圧検出部は、予め定めた比較基準電圧に基づいて前記誘起電圧の電圧レベルを判別するコンパレータを備え、
前記受信信号が前記コンパレータを介して前記受信手段に受信データとして入力されることを特徴とする電子機器。
【請求項３】
請求項１記載の電子機器において、
前記電圧検出部は、予め定めた比較基準電圧に基づいて前記誘起電圧の電圧レベルを判別するインバータを備え、
前記受信信号が前記インバータを介して前記受信手段に受信データとして入力されることを特徴とする電子機器。
【請求項４】
請求項２または請求項３記載の電子機器において、
前記感度切換手段は、前記比較基準電圧を前記回転検出時あるいは前記外部磁界検出時と、前記受信信号の受信時と、で切り換えることを特徴とする電子機器。
【請求項５】
請求項４記載の電子機器において、
前記モータの回転検出あるいは前記モータ周辺の外部磁界検出を行う検出モードと、前記受信信号を受信する受信モードとに前記電子機器の動作モードを切り替える切替手段を備え、
前記感度切換手段は、前記電子機器の動作モードに応じて前記比較基準電圧を切り換えることを特徴とする電子機器。
【請求項６】
請求項４または５記載の電子機器において、
前記感度切換手段は、前記回転検出時あるいは前記外部磁界検出時における前記比較基準電圧を前記受信信号の受信時における前記比較基準電圧に比較して検出感度が高くなるように設定することを特徴とする電子機器。
【請求項７】
請求項４または５記載の電子機器において、
予め定めた設定条件に基づいて、前記感度切換手段が前記受信信号の受信時に切り換える前記比較基準電圧を予め定めた複数の候補の中のいずれかの電圧に設定する比較基準電圧設定手段とを備えたことを特徴とする電子機器。
【請求項８】
請求項４ないし請求項７のいずれかに記載の電子機器において、
前記感度切換手段は、基準電圧を分圧して前記比較基準電圧を生成する分圧手段と、
前記分圧手段における分圧比を切り換える分圧比切換手段と、
を備えたことを特徴とする電子機器。
【請求項９】
請求項２記載の電子機器において、
前記モータコイルに誘起された電圧を前記モータコイルに接続された検出抵抗を介して検出する誘起電圧検出手段と、
前記検出抵抗の抵抗値を前記回転検出時あるいは前記外部磁界検出時と、前記受信信号の受信時と、で切り換える検出抵抗切換手段を備えたことを特徴とする電子機器。
【請求項１０】
請求項２記載の電子機器において、
前記誘起電圧を前記モータコイルに接続された検出抵抗を介して検出する誘起電圧検出手段と、
前記誘起電圧検出手段により検出された誘起電圧をチョッパ増幅するチョッパ増幅手段と、
前記回転検出時あるいは前記外部磁界検出時には前記チョッパ増幅手段を動作させ、前記受信信号の受信時には、前記チョッパ増幅手段の動作を禁止するチョッパ増幅制御手段と、
を備えたことを特徴とする電子機器。
【請求項１１】
請求項１記載の電子機器において、
前記モータコイルは、アナログ指針により計時動作を行うアナログ計時手段に設けられた指針駆動用モータに設けられたものであり、
前記受信データは、歩度調整データ、温度補正データあるいは仕様切換データのいずれかを含むことを特徴とする電子機器。
【請求項１２】
請求項１記載の電子機器において、
計測対象の計測を行うセンサ手段を有し、
前記受信データは、前記センサ手段の調整用データであることを特徴とする電子機器。
【請求項１３】
請求項１ないし請求項１２のいずれかに記載の電子機器において、
各種情報をディジタル表示するためのディジタル表示手段を備えたことを特徴とする電子機器。
【請求項１４】
モータコイルと、前記モータコイルに誘起された誘起電圧を検出する電圧検出部とを有する電子機器の制御方法において、
前記誘起電圧を前記電圧検出部により検出する電圧検出工程と、
前記誘起電圧を前記電圧検出部が検出する際の検出感度を切り換える感度切換工程と、
前記電圧検出工程により検出された前記誘起電圧に基づいて、モータの回転検出あるいは前記モータ周辺の外部磁界検出を行う検出工程と、
前記モータコイルを介して受信した受信信号を、前記電圧検出部を介して受信データとして受信する受信工程とを有し、
前記感度切換工程は、前記モータの回転検出時あるいは前記モータ周辺の外部磁界検出時の前記検出感度と、前記受信手段が受信信号を受信する時の前記検出感度とが異なるように検出感度を切換えることを特徴とする電子機器の制御方法。
【請求項１５】
請求項１４記載の電子機器の制御方法において、
前記電圧検出工程は、前記誘起電圧の電圧レベルを、予め定めた比較基準電圧に基づいて判別することを特徴とする電子機器の制御方法。
【発明の詳細な説明】
【０００１】
【発明の属する技術分野】
本発明は、電子機器および電子機器の制御方法に係り、特にアナログ時計、ディジタル時計などの計時装置あるいは各種センサを内蔵した電子機器及びそれらの制御方法に関する。
【０００２】
【従来の技術】
［１］  第１従来例
電子機器である従来のアナログ電子時計においては、歩度調整を行う場合には、回路ブロックまたはムーブメント状態において、計測を行い、検査結果に応じてパターン切断を行ったり、不揮発性メモリに歩度調整データを書き込むことにより行っていた。
［２］  第２従来例
また、特開平６−２０７９９２号公報記載の技術においては、アナログ電子時計の基準信号に同期してモータコイルを利用して歩度調整データを受信し、受信した歩度調整データにより歩度調整を行っていた。
［３］  第３従来例
さらに高度計や気圧計の機能を実現するためのセンサを備えたセンサ付アナログ電子時計におけるセンサ調整を行う場合には、ムーブメント状態で可変抵抗器を用いた調整や、調整データを不揮発性メモリに書き込むことにより行っていた。
［４］  第４従来例
またアナログ電子時計の仕様切換を行う場合には、アルミマスクによる切換や、ボンディングの有無、基板パターンの切断により設定仕様に対応するデータを制御装置に与えることにより仕様切換を行っていた。
【０００３】
【発明が解決しようとする課題】
上記第１従来例においては、回路ブロックまたはムーブメント状態で調整を行っているため、回路ブロックをムーブメントに組み込んだり、ムーブメントを外装に組み込んだ場合には、浮遊容量や応力の変化により特性がシフトすることとなり、調整が不正確になってしまうとともに、製品の歩留まりが悪くなってしまうという問題点があった。
また上記第２従来例においては、歩度調整データの受信がアナログ電子時計の基準信号に同期して行われているため、外部の歩度調整データの送信装置側から見れば、データの送信タイミングが基準信号の制約を受けるとともに、ノイズが入力されると基準信号と誤認識することにより誤動作してしまうという可能性があった。
【０００４】
さらに上記第３従来例においては、センサ調整に際し、調整量を回路ブロックあるいはムーブメント状態で計測し、計測結果に応じて可変抵抗器を用いて調整を行ったり、不揮発性メモリに調整用データを書き込むことにより調整を行っていたため、回路ブロックをムーブメントに組み込んだり、ムーブメントを外装に組み込んだ場合には、浮遊容量や応力の変化により特性がシフトすることとなり、調整が不正確になってしまうとともに、製品の歩留まりが悪くなってしまうという問題点があった。
さらにまた、上記第４従来例においては、ＩＣのアルミマスクによる仕様切換の場合には、ＩＣの種類が仕様数だけ必要となってしまうという問題点があった。また、ボンディングの有無、基板パターンの切断などによりデータを与えて仕様切換を行う場合には、仕様切換用の端子（パッド）などが必要となり、チップサイズが大きくなってしまうという問題点があった。特に時計用のＩＣは、ロジック規模が小さいため、パッドの大きさでチップのサイズが決まってしまう（いわゆる、パッドリミット）という問題点があった。
【０００５】
そこで、本発明の第１の目的は、ムーブメントや外装に組み込んだ際にも調整精度を確保することができ、調整の自由度および調整速度の向上を図り、データ受信時のノイズの影響を低減して、大量のデータを容易に受信することが可能な電子機器およびその制御方法を提供することにある。
また、本発明の第２の目的は、ＩＣのチップサイズを小さくすることが可能な電子機器およびその制御方法を提供することにある。
【０００６】
【課題を解決するための手段】
上記課題を解決するため、本発明は、モータコイルと、前記モータコイルに誘起された誘起電圧を検出する電圧検出部と、前記電圧検出部により検出された前記誘起電圧に基づいて、前記モータの回転検出あるいは前記モータ周辺の外部磁界検出を行う検出手段とを備えた電子機器において、前記誘起電圧を前記電圧検出部が検出する際の検出感度を切換える感度切換手段と、前記モータコイルを介して受信した受信信号が前記電圧検出部を介して受信データとして入力される受信手段とを備え、前記感度切換手段は、前記モータの回転検出時あるいは前記モータ周辺の外部磁界検出時の前記検出感度と、前記受信手段が受信信号を受信する時の前記検出感度とが異なるように前記検出感度を切換えることを特徴としている。
【０００７】
具体的な態様においては、前記電圧検出部は、予め定めた比較基準電圧に基づいて前記誘起電圧の電圧レベルを判別するコンパレータを備え、前記受信信号が前記コンパレータを介して前記受信手段に受信データとして入力される。
【０００８】
また他の具体的な態様においては、前記電圧検出部は、予め定めた比較基準電圧に基づいて前記誘起電圧の電圧レベルを判別するインバータを備え、前記受信信号が前記インバータを介して前記受信手段に受信データとして入力される。
【０００９】
より具体的な態様において、前記感度切換手段は、前記比較基準電圧を前記回転検出時あるいは前記外部磁界検出時と、前記受信信号の受信時と、で切り換える。
【００１０】
また、より具体的な態様においては、前記モータの回転検出あるいは前記モータ周辺の外部磁界検出を行う検出モードと、前記受信信号を受信する受信モードとに前記電子機器の動作モードを切り替える切替手段を備え、前記感度切換手段は、前記電子機器の動作モードに応じて前記比較基準電圧を切り換える。
【００１１】
また、好ましい態様において、前記感度切換手段は、前記回転検出時あるいは前記外部磁界検出時における前記比較基準電圧を前記受信信号の受信時における前記比較基準電圧に比較して検出感度が高くなるように設定する。
【００１３】
また、好ましい態様において、予め定めた設定条件に基づいて、前記感度切換手段が前記受信信号の受信時に切り換える前記比較基準電圧を予め定めた複数の候補の中のいずれかの電圧に設定する比較基準電圧設定手段とを備える。
【００１４】
また、好ましい態様において、前記感度切換手段は、基準電圧を分圧して前記比較基準電圧を生成する分圧手段と、前記分圧手段における分圧比を切り換える分圧比切換手段と、を備える。
【００１５】
また、より具体的な態様において、前記誘起電圧を前記モータコイルに接続された検出抵抗を介して検出する誘起電圧検出手段と、前記検出抵抗の抵抗値を前記回転検出時あるいは前記外部磁界検出時と、前記受信信号の受信時と、で切り換える検出抵抗切換手段を備えるようにしてもよい。
【００１６】
また、より具体的な態様において、前記誘起電圧を前記モータコイルに接続された検出抵抗を介して検出する誘起電圧検出手段と、前記誘起電圧検出手段により検出された誘起電圧をチョッパ増幅するチョッパ増幅手段と、前記回転検出時あるいは前記外部磁界検出時には前記チョッパ増幅手段を動作させ、前記受信信号の受信時には、前記チョッパ増幅手段の動作を禁止するチョッパ増幅制御手段とを備えるようにしてもよい。
【００１７】
また、より具体的な態様において、前記モータコイルは、アナログ指針により計時動作を行うアナログ計時手段に設けられた指針駆動用モータに設けられたものであり、前記受信データは、歩度調整データ、温度補正データあるいは仕様切換データのいずれかを含む。
【００１８】
また、より具体的な態様において、計測対象の計測を行うセンサ手段を有し、前記受信データは、前記センサ手段の調整用データであるようにしてもよい。また、より具体的な態様において、各種情報をディジタル表示するためのディジタル表示手段を備えるようにしてもよい。
【００１９】
また、本発明は、モータコイルと、前記モータコイルに誘起された誘起電圧を検出する電圧検出部とを有する電子機器の制御方法において、前記誘起電圧を前記電圧検出部により検出する電圧検出工程と、前記誘起電圧を前記電圧検出部が検出する際の検出感度を切り換える感度切換工程と、前記電圧検出工程により検出された前記誘起電圧に基づいて、モータの回転検出あるいは前記モータ周辺の外部磁界検出を行う検出工程と、前記モータコイルを介して受信した受信信号を、前記電圧検出部を介して受信データとして受信する受信工程とを有し、前記感度切換工程は、前記モータの回転検出時あるいは前記モータ周辺の外部磁界検出時の前記検出感度と、前記受信手段が受信信号を受信する時の前記検出感度とが異なるように検出感度を切換えることを特徴としている。
【００２０】
また、より具体的な態様において、前記電圧検出工程は、前記誘起電圧の電圧レベルを、予め定めた比較基準電圧に基づいて判別するようにしてもよい。
【００２１】
【発明の実施の形態】
次に本発明の好適な実施形態について図面を参照して説明する。
【００２２】
［１］第１実施形態
まず第１実施形態について説明する。なお、本第１実施形態にあっては、電子機器としてのアナログ電子時計を例として説明するが、本発明をこれらに限定する趣旨ではなく、モータコイル（アナログ電子時計における運針用駆動モータコイルに相当）に誘起される電圧に基づいて回転検出あるいは外部磁界検出を行う検出回路を備えるとともに、モータコイルを介して通信を行う電子機器であれば、本発明の適用が可能である。
［１．１］  アナログ電子時計の概要構成
まず、アナログ電子時計の概要構成について説明する。
図１にアナログ電子時計の概要構成ブロック図を示す。
アナログ電子時計１０は、基準発振信号を生成する発振ユニット１１と、基準発振信号を分周して分周発振信号を出力する分周ユニット１２と、分周発振信号に基づいて駆動パルス信号を生成する駆動パルス発生ユニット１３と、駆動パルス信号に基づいて指針駆動用のモータコイル１４を駆動するモータドライバ１５と、を備えて構成されている。
【００２３】
さらにアナログ電子時計１０は、外部のコイルとモータコイル１４とが電磁結合することにより入力される各種データを後述の電圧比較部３０を介して受信するための受信ユニット２０と、受信したデータに基づいて各種制御を行うデータ制御ユニット２１と、受信データを記憶するためのＥＥＰＲＯＭなどの記憶ユニット２２と、記憶ユニット２２に記憶されている歩度調整データに基づいて分周ユニット１２を制御し、歩度調整を行う歩度調整ユニット２３と、電圧比較部３０を介して入力されるモータコイル１４を内蔵した図示しないモータの回転検出結果あるいは当該モータ周辺の外部磁界検出結果に基づいて、モータ非回転時などに駆動パルス発生ユニット１３に補正駆動パルスを生成させ出力させる補正駆動制御ユニット２４と、アナログ電子時計１０全体を制御するとともに、駆動パルス発生ユニット１３の出力に基づいて、駆動パルス出力後の一定期間だけ、電圧比較部における検出感度を高感度に切り換えるべく制御を行う制御ユニット２５と、ユーザによりリュウズスイッチ（リセットスイッチ）２６が操作されたことを検出して、分周ユニット１２のリセット処理を行うリセットユニット２７と、モータコイル１４に誘起された電圧に基づいて回転検出結果あるいは外部磁界検出結果を出力するとともに、受信ユニット２０に対し、各種データを出力する電圧比較部３０と、を備えて構成されている。
ここで、補正駆動制御ユニット２４は、駆動パルス信号として通常出力される主駆動パルスの出力後所定のタイミングで所定の電圧値以上の逆誘起電圧が発生したか否かを電圧比較部３０を介して検出することにより、モータが回転したか否かを検出すると共に、この逆誘起電圧の発生を検出しなかった場合にはモータが回転しなかったとみなして駆動パルス発生ユニット１３に主駆動パルスに比してパルス幅の長い補助駆動パルスを駆動パルス信号として出力させてモータを確実に駆動させるものである。
また、これら駆動パルス発生ユニット１３、受信ユニット２０、データ制御ユニット２１、補正駆動制御ユニット２４、制御ユニット２５は、フリップフロップやカウンタ回路および各種ゲート類で構成される。
【００２４】
［１．２］  電圧比較部の概要構成
次に電圧比較部の概要構成について説明する。
電圧比較部３０は、モータコイル１４の一端に一方の入力端子（−）が接続され、他方の入力端子（＋）に比較基準電圧が入力される第１コンパレータ３１と、モータコイル１４の他端に一方の入力端子（−）が接続され、他方の入力端子（＋）に比較基準電圧が入力される第２コンパレータ３２と、低電位側電源ＶSSと接地との間の電圧を分圧するために直列に接続された分圧抵抗Ｒ1〜Ｒ3と、制御ユニット２５から出力される比較基準電圧切換制御信号ＳSWが“Ｈ”レベルの場合、すなわち、検出感度を低感度にする場合にオン状態（閉状態）となり、分圧抵抗Ｒ3と分圧抵抗Ｒ2の接続点を比較基準電圧入力側の入力端子（＋）に接続するスイッチ３３と、比較基準電圧切換制御信号ＳSWの信号レベルを反転して反転基準電圧切換制御信号ＳSW’を出力するインバータ３４と、反転基準電圧切換制御信号ＳSW’が“Ｈ”レベルの場合、すなわち、検出感度を高感度にする場合にオン状態（閉状態）となり、分圧抵抗Ｒ2と分圧抵抗Ｒ1の接続点を比較基準電圧入力側の入力端子（＋）に接続するスイッチ３５と、を備えて構成されている。
この場合において、スイッチ３３およびスイッチ３５は、例えば、双方向ＭＯＳアナログスイッチにより構成されている。
【００２５】
［１．３］  第１実施形態の動作
次に図２を参照して第１実施形態の動作について説明する。
図２に動作タイミングチャートを示す。
主駆動パルスの出力が終了するタイミングである時刻ｔ1において制御ユニット２５は、駆動パルス発生ユニット１３からのタイミング信号により比較基準電圧切換制御信号ＳSWを“Ｌ”レベルとし、スイッチ３３はオフ状態となり、インバータ３４は、比較基準電圧切換制御信号ＳSWの信号レベルを反転して反転基準電圧切換制御信号ＳSW’として、スイッチ３５に出力する。
この結果、スイッチ３５は、オン状態（閉状態）となり、分圧抵抗Ｒ2と分圧抵抗Ｒ1の接続点を比較基準電圧入力側の入力端子（＋）に接続し、検出感度は高感度（回転検出あるいは外部磁界検出状態）となり、その状態は時刻ｔ2まで保持されることとなる。
【００２６】
ところで、この時刻ｔ1〜時刻ｔ2までの時間には、モータ駆動信号（図２（ａ）参照）が出力され、モータの駆動に伴うモータ磁界が外部磁界として存在するが、信号レベルが低いため、コンパレータ３１およびコンパレータ３２の出力は、“Ｌ”レベルのままであり（図２（ｅ）参照）、受信ユニット２０の出力も“Ｌ”レベルのままとなる（図２（ｆ）参照）。
次に補正駆動パルスの出力が終了するタイミング（補正駆動パルスが出力されなかった場合でも同様のタイミング）である時刻ｔ2において制御ユニット２５は、駆動パルス発生ユニット１３からのタイミング信号により比較基準電圧切換制御信号ＳSWを“Ｈ”レベルとする。
これにより、スイッチ３３はオン状態（閉状態）となり、分圧抵抗Ｒ3と分圧抵抗Ｒ2の接続点を比較基準電圧入力側の入力端子（＋）に接続し、検出感度は低感度（データ受信可能状態）となり、その状態は、次回の主駆動パルスの出力が終了するタイミングである時刻ｔ4まで保持される。
この結果、時刻ｔ3において、外部磁界として、外部ノイズが入力された場合でも、外部ノイズは検出されず、コンパレータ３１およびコンパレータ３２の出力は、“Ｌ”レベルのままであり（図２（ｅ）参照）、受信ユニット２０の出力も“Ｌ”レベルのままとなる（図２（ｆ）参照）。
【００２７】
その後、時刻ｔ4において時刻ｔ1の場合と同様に制御ユニット２５が再び比較基準電圧切換制御信号ＳSWを“Ｌ”レベルとすると、スイッチ３３はオフ状態となり、インバータ３４は、比較基準電圧切換制御信号ＳSWの信号レベルを反転して反転基準電圧切換制御信号ＳSW’として、スイッチ３５に出力する。
この結果、スイッチ３５は、オン状態（閉状態）となり、分圧抵抗Ｒ2と分圧抵抗Ｒ1の接続点を比較基準電圧入力側の入力端子（＋）に接続し、検出感度は高感度（回転検出あるいは外部磁界検出状態）となり、その状態は時刻ｔ6まで保持されることとなる。
この比較基準電圧切換制御信号ＳSWが“Ｌ”レベルである期間中の時刻ｔ5において、モータ駆動信号（図２（ａ）参照）が出力され、モータの駆動に伴うモータ磁界が外部磁界として存在しており、このモータ磁界の信号レベルが高いためコンパレータ３１およびコンパレータ３２の出力は、モータ磁界の信号レベルに応じて“Ｈ”レベルとなる（図２（ｅ）参照）。
しかしながら、コンパレータ３２の出力のパルス周期は、本来のデータ受信時のパルス周期とは非同期であるため、受信ユニット２０の出力は相変わらず、“Ｌ”レベルのままとなる（図２（ｆ）参照）。
次に時刻ｔ6において時刻ｔ2の場合と同様に制御ユニット２５は、比較基準電圧切換制御信号ＳSWを再び“Ｈ”レベルとする。
これにより、スイッチ３３はオン状態（閉状態）となり、分圧抵抗Ｒ3と分圧抵抗Ｒ2の接続点を比較基準電圧入力側の入力端子（＋）に接続し、検出感度は低感度（データ受信可能状態）となり、その状態は時刻ｔ8まで保持されることとなる。
【００２８】
そして、時刻ｔ7において、図示しない外部調整装置により、時計の歩度を測定した結果に対応する（補正）データ信号が送信され、モータコイル１４を介して入力されると、データ信号の信号レベルは、アナログ電子時計１０を通常携帯している状態で検出される外部ノイズよりも充分に高いものに設定しているため、コンパレータ３１およびコンパレータ３２の出力は、データ信号の信号レベルに応じて“Ｈ”レベルとなる（図２（ｅ）参照）。
この場合において、コンパレータ３２の出力のパルス周期は、本来のデータ受信時のパルス周期と同期しているため、受信ユニット２０の出力はデータ信号の信号レベルに応じて、“Ｈ”レベルとなる（図２（ｆ）参照）。
この結果、データ制御ユニット２１は、補正データを記憶ユニット２２に書き込むこととなる。
その後、歩度調整ユニットは、記憶ユニット２２に書き込まれた補正データに基づいて一定周期で分周ユニット１２にセットあるいはリセットを行い、歩度調整を行うこととなる。
その後、時刻ｔ8において制御ユニット２５が再び比較基準電圧切換制御信号ＳSWを“Ｌ”レベルとすると、スイッチ３３はオフ状態となり、インバータ３４は、比較基準電圧切換制御信号ＳSWの信号レベルを反転して反転基準電圧切換制御信号ＳSW’として、スイッチ３５に出力する。
【００２９】
この結果、スイッチ３５は、オン状態（閉状態）となり、分圧抵抗Ｒ2と分圧抵抗Ｒ1の接続点を比較基準電圧入力側の入力端子（＋）に接続し、検出感度は高感度（回転検出あるいは外部磁界検出状態）となり、その状態は時刻ｔ10まで保持されることとなる。
この比較基準電圧切換制御信号ＳSWが“Ｌ”レベルである期間中の時刻ｔ9において、モータ駆動信号（図２（ａ）参照）が出力され、モータの駆動に伴うモータ磁界が外部磁界として存在しており、このモータ磁界の信号レベルが高いため、コンパレータ３１およびコンパレータ３２の出力は、モータ磁界の信号レベルに応じて“Ｈ”レベルとなる（図２（ｅ）参照）。
しかしながら、コンパレータ３２の出力のパルス周期は、本来のデータ受信時のパルス周期とは非同期であるため、受信ユニット２０の出力は相変わらず、“Ｌ”レベルのままとなる（図２（ｆ）参照）。
【００３０】
［１．４］  第１実施形態の効果
以上の説明のように、本第１実施形態によれば、モータの回転検出あるいはモータの磁界検出を行うためのコンパレータをデータ受信用のコンパレータとして用いているため、回路規模を小さくすることができ、ＩＣに組み込むような場合でも、ＩＣの小型化を図れ、安価に製造することができる。
また、データ受信を行う際のコンパレータの比較基準電圧をモータの回転検出あるいはモータの磁界検出を行う際のコンパレータの比較基準電圧に対して、コンパレータが低感度になるように設定するので、ノイズの影響を受けずにデータ受信を行うことが可能となる。
さらにアナログ電子時計をムーブメント状態あるいは外装に組み込んだ状態で調整を行うことができ、調整精度を向上させることが可能となる。
また、補正データ信号の送信は、所定のパルス周期、例えば、外部調整装置側の同期信号に同期したパルス周期でアナログ電子時計側に送信するため、より確実にデータ送信を行うことができる。
また、モータの回転検出あるいはモータ周辺の外部磁界検出の検出感度を駆動パルス発生ユニット１３からのタイミング信号に基づいて切り替える場合について述べたが、モータの回転検出あるいはモータ周辺の外部磁界検出を行う検出モードと、外部からのデータ信号を受信する受信モードとに切り替える切換手段を設けて、各モードの切り替えに応じて検出感度を切り替えるようにしてもよい。
【００３１】
［２］  第２実施形態
次に本発明の第２実施形態について、図３を参照して説明する。
［２．１］  アナログ電子時計の概要構成
図３にアナログ電子時計の概要構成ブロック図を示す。図３において、図１の第１実施形態と同様の部分には同一の符号を付し詳細な説明を省略する。
本第２実施形態のアナログ電子時計１０Ａが図１の第１実施形態のアナログ電子時計１０と異なる点は、第１実施形態の電圧比較部３０は、第１コンパレータ３１および第２コンパレータ３２の一方の入力端子に入力する比較基準電圧を変更することにより、第１コンパレータ３１および第２コンパレータ３２のモータの回転検出あるいはモータの磁界検出を行う際のコンパレータの検出感度と、データ受信時の検出感度とを変更していたのに対し、本第２実施形態は、第１コンパレータ３１および第２コンパレータ３２の検出抵抗の抵抗値を変更することにより検出感度を変更した点である。
従って、以下においては、電圧比較部の概要構成について説明する。
【００３２】
電圧比較部３０Ａは、モータコイル１４の一端に一方の入力端子（−）が接続され、他方の入力端子（＋）に比較基準電圧が入力される第１コンパレータ３１と、モータコイル１４の他端に一方の入力端子（−）が接続され、他方の入力端子（＋）に比較基準電圧が入力される第２コンパレータ３２と、モータコイル１４の一端とコンパレータ３１の一方の入力端子（−）の接続点と後述のＮチャネルトランジスタ４４のドレインＤとの間に直列に接続された検出抵抗Ｒ11、Ｒ12と、モータコイル１４の他端とコンパレータ３２の一方の入力端子（−）の接続点と後述のＮチャネルトランジスタ４５のドレインＤとの間に直列に接続された検出抵抗Ｒ21、Ｒ22と、制御ユニット２５から出力される検出抵抗切換制御信号ＳSW1が“Ｈ”レベルの場合、すなわち、検出感度を低感度にする場合にオン状態（閉状態）となり、抵抗Ｒ12の両端を短絡するためのスイッチ４１と、制御ユニット２５から出力される検出抵抗切換制御信号ＳSW1が“Ｈ”レベルの場合、すなわち、検出感度を低感度にする場合にオン状態（閉状態）となり、抵抗Ｒ22の両端を短絡するためのスイッチ４２と、ゲートＧが制御ユニット２５に接続され、ソースＳが接地に接続され、制御ユニット２５から出力されるチョッパ制御信号ＳCに基づいてオン／オフを所定周期で繰り返すことによりチョッパ増幅を行わせるためのＮチャネルトランジスタ４４と、ゲートＧが制御ユニット２５に接続され、ソースＳが接地に接続され、制御ユニット２５から出力されるチョッパ制御信号ＳCに基づいてオン／オフを所定周期で繰り返すことによりチョッパ増幅を行わせるためのＮチャネルトランジスタ４５と、を備えて構成されている。
この場合において、スイッチ４１およびスイッチ４２は、例えば、双方向ＭＯＳアナログスイッチにより構成されている。
【００３３】
［２．２］  第２実施形態の動作
次に再び図２を参照して第２実施形態の動作について説明する。以下の説明においては、図２における比較基準電圧切換制御信号ＳSWを検出抵抗切換制御信号ＳSW1と読み替えるものとする。
時刻ｔ1において制御ユニット２５は、検出抵抗切換制御信号ＳSW1を“Ｌ”レベルとし、スイッチ４１、４２はオフ状態となる。
この結果、検出抵抗Ｒ12は、検出抵抗Ｒ11に電気的に直列に接続された状態となり、検出抵抗Ｒ22は、検出抵抗Ｒ21に電気的に直列に接続された状態となり、検出感度は高感度（回転検出あるいは外部磁界検出状態）となり、その状態は時刻ｔ2まで保持されることとなる。
ところで、この時刻ｔ1〜時刻ｔ2までの時間には、モータ駆動信号（図２（ａ）参照）が出力され、モータの駆動に伴うモータ磁界が外部磁界として存在するが、信号レベルが低いため、コンパレータ３１およびコンパレータ３２の出力は、“Ｌ”レベルのままであり（図２（ｅ）参照）、受信ユニット２０の出力も“Ｌ”レベルのままとなる（図２（ｆ）参照）。
次に時刻ｔ2において制御ユニット２５は、検出抵抗切換制御信号ＳSW1を“Ｈ”レベルとする。
これにより、スイッチ４１、４２はオン状態となり、検出抵抗Ｒ12および検出抵抗Ｒ22は、それぞれ短絡された状態となり、実効的な検出抵抗は、検出抵抗Ｒ11および検出抵抗Ｒ21のみとなる。
従って、検出感度は低感度（データ受信可能状態）となり、その状態は時刻ｔ4まで保持される。
【００３４】
この結果、時刻ｔ3において、外部磁界として、外部ノイズが入力された場合でも、外部ノイズは検出されず、コンパレータ３１およびコンパレータ３２の出力は、“Ｌ”レベルのままであり（図２（ｅ）参照）、受信ユニット２０の出力も“Ｌ”レベルのままとなる（図２（ｆ）参照）。
その後、時刻ｔ4において制御ユニット２５が再び検出抵抗切換制御信号ＳSW1を“Ｌ”レベルとすると、スイッチ４１、４２はオフ状態となり、検出感度は高感度（回転検出あるいは外部磁界検出状態）となって、その状態は時刻ｔ6まで保持されることとなる。
この検出抵抗切換制御信号ＳSW1が“Ｌ”レベルである期間中の時刻ｔ5において、モータ駆動信号（図２（ａ）参照）が出力され、モータの駆動に伴うモータ磁界が外部磁界として存在しており、このモータ磁界の信号レベルが高いためコンパレータ３１およびコンパレータ３２の出力は、モータ磁界の信号レベルに応じて“Ｈ”レベルとなる（図２（ｅ）参照）。
しかしながら、コンパレータ３２の出力のパルス周期は、本来のデータ受信時のパルス周期とは非同期であるため、受信ユニット２０の出力は相変わらず、“Ｌ”レベルのままとなる（図２（ｆ）参照）。
次に時刻ｔ6において制御ユニット２５は、検出抵抗切換制御信号ＳSW1を再び“Ｈ”レベルとする。
【００３５】
これにより、スイッチ４１、４２はオン状態となり、検出抵抗Ｒ12および検出抵抗Ｒ22は、それぞれ短絡された状態となり、実効的な検出抵抗は、検出抵抗Ｒ11および検出抵抗Ｒ21のみとなる。
従って、検出感度は低感度（データ受信可能状態）となり、その状態は時刻ｔ8まで保持されることとなる。
そして、時刻ｔ7において、図示しない外部調整装置により、時計の歩度を測定した結果に対応する（補正）データ信号が送信され、モータコイル１４を介して入力されると、データ信号の信号レベルは、アナログ電子時計１０を通常携帯している状態で検出される外部ノイズよりも充分に高いものに設定しているため、コンパレータ３１およびコンパレータ３２の出力は、データ信号の信号レベルに応じて“Ｈ”レベルとなる（図２（ｅ）参照）。
この場合において、コンパレータ３２の出力のパルス周期は、本来のデータ受信時のパルス周期と同期しているため、受信ユニット２０の出力はデータ信号の信号レベルに応じて、“Ｈ”レベルとなる（図２（ｆ）参照）。
この結果、データ制御ユニット２１は、補正データを記憶ユニット２２に書き込むこととなる。
その後、歩度調整ユニットは、記憶ユニット２２に書き込まれた補正データに基づいて一定周期で分周ユニット１２にセットあるいはリセットを行い、歩度調整を行うこととなる。
その後、時刻ｔ8において制御ユニット２５が再び検出抵抗切換制御信号ＳSW1を“Ｌ”レベルとすると、スイッチ４１、４２はオフ状態となり、検出感度は高感度（回転検出あるいは外部磁界検出状態）となって、その状態は時刻ｔ10まで保持されることとなる。
【００３６】
この検出抵抗切換制御信号ＳSW1が“Ｌ”レベルである期間中の時刻ｔ9において、モータ駆動信号（図２（ａ）参照）が出力され、モータの駆動に伴うモータ磁界が外部磁界として存在しており、このモータ磁界の信号レベルが高いため、コンパレータ３１およびコンパレータ３２の出力は、モータ磁界の信号レベルに応じて“Ｈ”レベルとなる（図２（ｅ）参照）。
しかしながら、コンパレータ３２の出力のパルス周期は、本来のデータ受信時のパルス周期とは非同期であるため、受信ユニット２０の出力は相変わらず、“Ｌ”レベルのままとなる（図２（ｆ）参照）。
以上の説明においては、チョッパ増幅を行わない場合について説明したが、回転検出あるいは外部磁界検出状態において、制御ユニット２５からチョッパ制御信号ＳCを出力し、このチョッパ制御信号ＳCに基づいてモータドライバ１５の両出力の短絡／開放並びにＮチャネルトランジスタ４４およびＮチャネルトランジスタ４５のオン／オフを所定周期で繰り返すことによりモータコイル１４の逆起電力によりチョッパ増幅を行わせ、より高感度で検出を行うように構成することも可能である。
【００３７】
［２．３］  第２実施形態の効果
以上の説明のように、本第２実施形態によれば、モータの回転検出あるいはモータの磁界検出を行うためのコンパレータをデータ受信用のコンパレータとして用いているため、回路規模を小さくすることができ、ＩＣに組み込むような場合でも、ＩＣの小型化を図れ、安価に製造することができる。
また、データ受信を行う際のコンパレータの検出抵抗をモータの回転検出あるいはモータの磁界検出を行う際のコンパレータの検出抵抗に対して、コンパレータが低感度になるように低抵抗値として設定するので、ノイズの影響を受けずにデータ受信を行うことが可能となる。
さらにアナログ電子時計をムーブメント状態あるいは外装に組み込んだ状態で調整を行うことができ、調整精度を向上させることが可能となる。
また、補正データ信号の送信は、所定のパルス周期、例えば、外部調整装置側の同期信号に同期したパルス周期でアナログ電子時計側に送信するため、より確実にデータ送信を行うことができる。
【００３８】
［３］  第３実施形態
次に本発明の第３実施形態について、図４を参照して説明する。
［３．１］  アナログ電子時計の概要構成
図４にアナログ電子時計の概要構成ブロック図を示す。図４において、図３の第２実施形態と同様の部分には同一の符号を付し詳細な説明を省略する。
本第３実施形態のアナログ電子時計１０Ｂが図３の第２実施形態のアナログ電子時計１０Ａと異なる点は、制御ユニット２５の機能の一部を補正駆動制御ユニット２４Ａに持たせ、制御ユニット２５を省略した点と、第２実施形態の電圧比較部３０Ａが第１コンパレータ３１および第２コンパレータ３２の検出抵抗の抵抗値を変更することにより検出感度を変更していたのに対して、本第３実施形態の電圧比較部３０Ｂは、チョッパ増幅の有無により検出感度を変更する点である。
なお、補正駆動制御ユニット２４Ａは、フリップフロップやカウンタ回路および各種ゲート類で構成される。
従って、以下においては、電圧比較部の概要構成について説明する。
電圧比較部３０Ｂは、モータコイル１４の一端に一方の入力端子（−）が接続され、他方の入力端子（＋）に比較基準電圧が入力される第１コンパレータ３１と、モータコイル１４の他端に一方の入力端子（−）が接続され、他方の入力端子（＋）に比較基準電圧が入力される第２コンパレータ３２と、モータコイル１４の一端とコンパレータ３１の一方の入力端子（−）の接続点と後述のＮチャネルトランジスタ５１のドレインＤとの間に直列に接続された検出抵抗Ｒ41と、モータコイル１４の他端とコンパレータ３２の一方の入力端子（−）の接続点と後述のＮチャネルトランジスタ５２のドレインＤとの間に直列に接続された検出抵抗Ｒ42と、ゲートＧが補正駆動制御ユニット２４Ａに接続され、ソースＳが接地に接続され、補正駆動制御ユニット２４Ａから出力されるチョッパ増幅制御信号ＳC1に基づいてモータドライバ１５の両出力の短絡／開放と同時にオン／オフを所定周期で繰り返すことによりチョッパ増幅を行わせるためのＮチャネルトランジスタ５１と、ゲートＧが補正駆動制御ユニット２４Ａに接続され、ソースＳが接地に接続され、補正駆動制御ユニット２４Ａから出力されるチョッパ増幅制御信号ＳC1に基づいてモータドライバ１５の両出力の短絡／開放と同時にオン／オフを所定周期で繰り返すことによりチョッパ増幅を行わせるためのＮチャネルトランジスタ５２と、を備えて構成されている。
【００３９】
［３．２］  第３実施形態の動作
次に第３実施形態の主要動作について説明する。
回転検出あるいは外部磁界検出状態においては、補正駆動制御ユニット２４Ａから出力されるチョッパ増幅制御信号ＳC1は所定周期で“Ｈ”レベル→“Ｌ”レベル→“Ｈ”レベル→……とレベル遷移を繰り返す。
これにより、Ｎチャネルトランジスタ５１およびＮチャネルトランジスタ５２は、モータドライバ１５の両出力の短絡／開放と同時にオン／オフを所定周期で繰り返すことによりチョッパ増幅が行われることとなり、高感度で回転検出あるいは外部磁界検出を行うこととなる。
一方、データ受信時においては、補正駆動制御ユニット２４Ａから出力されるチョッパ増幅制御信号ＳC1は、常時“Ｌ”レベルとなる。
従って、Ｎチャネルトランジスタ５１およびＮチャネルトランジスタ５２は、常時オンとなり、低感度で外部の影響を受けることなく、データ受信を行うこととなる。
【００４０】
［３．３］  第３実施形態の効果
以上の説明のように、本第３実施形態によれば、モータの回転検出あるいはモータの磁界検出を行うためのコンパレータをデータ受信用のコンパレータとして用いているため、回路規模を小さくすることができ、ＩＣに組み込むような場合でも、ＩＣの小型化を図れ、安価に製造することができる。
また、モータの回転検出あるいはモータの磁界検出を行う際には、チョッパ増幅を行い高感度で検出を行うとともに、データ受信を行う際には、チョッパ増幅を行わずにコンパレータが低感度になるよう設定するので、ノイズの影響を受けずにデータ受信を行うことが可能となる。
さらにアナログ電子時計をムーブメント状態あるいは外装に組み込んだ状態で調整を行うことができ、調整精度を向上させることが可能となる。
また、補正データ信号の送信は、所定のパルス周期、例えば、外部調整装置側の同期信号に同期したパルス周期でアナログ電子時計側に送信するため、より確実にデータ送信を行うことができる。
【００４１】
［４］  第４実施形態
次に本発明の第４実施形態について、図５を参照して説明する。
［４．１］  アナログ電子時計の概要構成
図５にアナログ電子時計の概要構成ブロック図を示す。図５において、図３の第２実施形態と同様の部分には同一の符号を付し詳細な説明を省略する。
本第４実施形態のアナログ電子時計１０Ｃが図３の第２実施形態のアナログ電子時計１０Ａと異なる点は、コンパレータ３１に代えて、インバータ６１を用い、コンパレータ３２に代えてインバータ６２を用いた点である。
従って、以下においては、電圧比較部の概要構成について説明する。
【００４２】
電圧比較部３０Ｃは、モータコイル１４の一端に入力端子が接続された第１インバータ６１と、モータコイル１４の他端に入力端子が接続された第２インバータ６２と、モータコイル１４の一端とインバータ６１の入力端子の接続点と後述のＮチャネルトランジスタ４４のドレインＤとの間に直列に接続された検出抵抗Ｒ11、Ｒ12と、モータコイル１４の他端とインバータ６２の入力端子の接続点と後述のＮチャネルトランジスタ４５のドレインＤとの間に直列に接続された検出抵抗Ｒ21、Ｒ22と、制御ユニット２５から出力される検出抵抗切換制御信号ＳSW1が“Ｈ”レベルの場合、すなわち、検出感度を低感度にする場合にオン状態（閉状態）となり、抵抗Ｒ12の両端を短絡するためのスイッチ４１と、制御ユニット２５から出力される検出抵抗切換制御信号ＳSW1が“Ｈ”レベルの場合、すなわち、検出感度を低感度にする場合にオン状態（閉状態）となり、抵抗Ｒ22の両端を短絡するためのスイッチ４２と、ゲートＧが制御ユニット２５に接続され、ソースＳが接地に接続され、制御ユニット２５から出力されるチョッパ制御信号ＳCに基づいてモータドライバ１５の両出力の短絡／開放と同時にオン／オフを所定周期で繰り返すことによりチョッパ増幅を行わせるためのＮチャネルトランジスタ４４と、ゲートＧが制御ユニット２５に接続され、ソースＳが接地に接続され、制御ユニット２５から出力されるチョッパ制御信号ＳCに基づいてモータドライバ１５の両出力の短絡／開放と同時にオン／オフを所定周期で繰り返すことによりチョッパ増幅を行わせるためのＮチャネルトランジスタ４５と、を備えて構成されている。
この場合において、スイッチ４１およびスイッチ４２は、例えば、双方向ＭＯＳアナログスイッチにより構成されている。
【００４３】
［４．２］  第４実施形態の動作
次に再び図２を参照して第４実施形態の動作について説明する。以下の説明においては、図２における比較基準電圧切換制御信号ＳSWを検出抵抗切換制御信号ＳSW1と読み替え、コンパレータ出力をインバータ出力と読み替えるものとする。
時刻ｔ1において制御ユニット２５は、検出抵抗切換制御信号ＳSW1を“Ｌ”レベルとし、スイッチ４１、４２はオフ状態となる。
この結果、検出抵抗Ｒ12は、検出抵抗Ｒ11に電気的に直列に接続された状態となり、検出抵抗Ｒ22は、検出抵抗Ｒ21に電気的に直列に接続された状態となり、検出感度は高感度（回転検出あるいは外部磁界検出状態）となり、その状態は時刻ｔ2まで保持されることとなる。
ところで、この時刻ｔ1〜時刻ｔ2までの時間には、モータ駆動信号（図２（ａ）参照）が出力され、モータの駆動に伴うモータ磁界が外部磁界として存在するが、信号レベルが低いため、インバータ６１およびインバータ６２の出力は、“Ｌ”レベルのままであり（図２（ｅ）参照）、受信ユニット２０の出力も“Ｌ”レベルのままとなる（図２（ｆ）参照）。
【００４４】
次に時刻ｔ2において制御ユニット２５は、検出抵抗切換制御信号ＳSW1を“Ｈ”レベルとする。
これにより、スイッチ４１、４２はオン状態となり、検出抵抗Ｒ12および検出抵抗Ｒ22は、それぞれ短絡された状態となり、実効的な検出抵抗は、検出抵抗Ｒ11および検出抵抗Ｒ21のみとなる。
従って、検出感度は低感度（データ受信可能状態）となり、その状態は時刻ｔ4まで保持される。
この結果、時刻ｔ3において、外部磁界として、外部ノイズが入力された場合でも、外部ノイズは検出されず、インバータ６１およびインバータ６２の出力は、“Ｌ”レベルのままであり（図２（ｅ）参照）、受信ユニット２０の出力も“Ｌ”レベルのままとなる（図２（ｆ）参照）。
その後、時刻ｔ4において制御ユニット２５が再び検出抵抗切換制御信号ＳSW1を“Ｌ”レベルとすると、スイッチ４１、４２はオフ状態となり、検出感度は高感度（回転検出あるいは外部磁界検出状態）となって、その状態は時刻ｔ6まで保持されることとなる。
【００４５】
この検出抵抗切換制御信号ＳSW1が“Ｌ”レベルである期間中の時刻ｔ5において、モータ駆動信号（図２（ａ）参照）が出力され、モータの駆動に伴うモータ磁界が外部磁界として存在しており、このモータ磁界の信号レベルが高いためインバータ６１およびインバータ６２の出力は、モータ磁界の信号レベルに応じて“Ｈ”レベルとなる（図２（ｅ）参照）。
しかしながら、インバータ６２の出力のパルス周期は、本来のデータ受信時のパルス周期とは非同期であるため、受信ユニット２０の出力は相変わらず、“Ｌ”レベルのままとなる（図２（ｆ）参照）。
次に時刻ｔ6において制御ユニット２５は、検出抵抗切換制御信号ＳSW1を再び“Ｈ”レベルとする。
これにより、スイッチ４１、４２はオン状態となり、検出抵抗Ｒ12および検出抵抗Ｒ22は、それぞれ短絡された状態となり、実効的な検出抵抗は、検出抵抗Ｒ11および検出抵抗Ｒ21のみとなる。
従って、検出感度は低感度（データ受信可能状態）となり、その状態は時刻ｔ8まで保持されることとなる。
【００４６】
そして、時刻ｔ7において、図示しない外部調整装置により、時計の歩度を測定した結果に対応する（補正）データ信号が送信され、モータコイル１４を介して入力されると、データ信号の信号レベルは、アナログ電子時計１０を通常携帯している状態で検出される外部ノイズよりも充分に高いものに設定しているため、インバータ６１およびインバータ６２の出力は、データ信号の信号レベルに応じて“Ｈ”レベルとなる（図２（ｅ）参照）。
この場合において、インバータ６２の出力のパルス周期は、本来のデータ受信時のパルス周期と同期しているため、受信ユニット２０の出力はデータ信号の信号レベルに応じて、“Ｈ”レベルとなる（図２（ｆ）参照）。
この結果、データ制御ユニット２１は、補正データを記憶ユニット２２に書き込むこととなる。
その後、歩度調整ユニットは、記憶ユニット２２に書き込まれた補正データに基づいて一定周期で分周ユニット１２にセットあるいはリセットを行い、歩度調整を行うこととなる。
その後、時刻ｔ8において制御ユニット２５が再び検出抵抗切換制御信号ＳSW1を“Ｌ”レベルとすると、スイッチ４１、４２はオフ状態となり、検出感度は高感度（回転検出あるいは外部磁界検出状態）となって、その状態は時刻ｔ10まで保持されることとなる。
【００４７】
この検出抵抗切換制御信号ＳSW1が“Ｌ”レベルである期間中の時刻ｔ9において、モータ駆動信号（図２（ａ）参照）が出力され、モータの駆動に伴うモータ磁界が外部磁界として存在しており、このモータ磁界の信号レベルが高いため、インバータ６１およびインバータ６２の出力は、モータ磁界の信号レベルに応じて“Ｈ”レベルとなる（図２（ｅ）参照）。
しかしながら、インバータ６２の出力のパルス周期は、本来のデータ受信時のパルス周期とは非同期であるため、受信ユニット２０の出力は相変わらず、“Ｌ”レベルのままとなる（図２（ｆ）参照）。
以上の説明においては、チョッパ増幅を行わない場合について説明したが、回転検出あるいは外部磁界検出状態において、制御ユニット２５からチョッパ制御信号ＳCを出力し、このチョッパ制御信号ＳCに基づいてモータドライバ１５の両出力の短絡／開放及びＮチャネルトランジスタ４４およびＮチャネルトランジスタ４５のオン／オフを所定周期で繰り返すことによりモータコイル１４の逆起電力によりチョッパ増幅を行わせ、より高感度で検出を行うように構成することも可能である。
なお、チョッパ増幅の必要がない場合には、Ｎチャネルトランジスタ４４、４５を設けないように構成することも可能である。
【００４８】
［４．３］  第４実施形態の効果
以上の説明のように、本第４実施形態によれば、モータの回転検出あるいはモータの磁界検出を行うためのインバータをデータ受信用のインバータとして用いているため、回路規模を小さくすることができ、ＩＣに組み込むような場合でも、ＩＣの小型化を図れ、安価に製造することができる。
また、データ受信を行う際のインバータの検出抵抗をモータの回転検出あるいはモータの磁界検出を行う際のインバータの検出抵抗に対して、インバータが低感度になるように低抵抗値として設定するので、ノイズの影響を受けずにデータ受信を行うことが可能となる。
さらにアナログ電子時計をムーブメント状態あるいは外装に組み込んだ状態で調整を行うことができ、調整精度を向上させることが可能となる。
また、補正データ信号の送信は、所定のパルス周期、例えば、外部調整装置側の同期信号に同期したパルス周期でアナログ電子時計側に送信するため、より確実にデータ送信を行うことができる。
【００４９】
［５］  変形例
［５．１］  第１変形例
上記説明においては、データ受信時の検出感度をモータの回転検出時あるいは磁界検出時に比して低感度に設定してノイズの影響を受けずにデータ受信を行うようにする場合について説明したが、データ受信時の検出感度をモータの回転検出時あるいは磁界検出時に比して高感度に設定してもよい。
この場合、例えば電子時計の外装（ハウジング）に磁界を通しにくい耐磁材料などを使用したためにモータコイル１４を介して受信される信号強度が低くなってしまう場合でも、確実に各種データの受信を検出することができる。
また、電子時計内部のモータコイル１４の特性や配置が異なることによって受信される信号強度が低くなってしまう場合もあるため、この場合もデータ受信時の検出感度を高感度に設定する必要がある。
従って、データ受信時の検出感度は、電子時計の仕様などに応じてモータの回転検出時あるいは磁界検出時の検出感度とは独立して設定することが望ましい。
【００５０】
ここで、図６は、データ受信時の検出感度を簡易に切換可能にしたアナログ電子時計の概要構成ブロック図である。
このアナログ電子時計１０Ｄが図１に示したアナログ電子時計１０と異なる点は、検出感度を高感度、中間度、低感度の３種類に設定可能な点と、外部書き込み端子を介して予め定めた設定条件を指示する入力信号を入力し、この入力信号に応じてデータ受信時の検出感度を高感度、中間度、低感度のいずれの感度に設定するかのデータを記憶ユニット２２に書き込む書込制御ユニット（比較基準電圧設定手段）７０を配置した点である。
なお、書き込み制御ユニット７０は、フリップフロップやカウンタ回路および各種ゲート類で構成される。
すなわち、このアナログ電子時計１０Ｄにおいては、電圧検出部３０Ａは、分圧抵抗Ｒ4と、この分圧抵抗Ｒ4と分圧抵抗Ｒ３の接続点を第１コンパレータ３１の入力端子（＋）及び第２コンパレータ３２の入力端子（＋）に接続するスイッチ３６とが新たに設けられ、制御ユニット２５によりスイッチ３３、３５、３６がそれぞれ制御されることにより検出感度を高感度、中間度、低感度のいずれかに切り換え可能にしている。
また、書込制御ユニット７０は、検出感度切換用の端子を介してアナログ電子時計１０Ｄの設定条件（外装、ムーブメントの種類などの仕様など）に対応する入力データに基づき、データ受信時の検出感度を高感度、中間度、低感度のいずれかに切り換えるかを示すデータを記憶ユニット２２に書き込むものである。なお、データ受信時の検出感度を高感度、中間度または低感度に設定するための感度設定用データは予め記憶ユニット２２に記憶されている。
【００５１】
これにより、このアナログ電子時計１０Ｄは、制御ユニット２５が記憶ユニット２２に記憶されている感度設定用データに基づいてスイッチ３３、３５、３６を制御することにより、データ受信時の検出感度を高感度、中間度、低感度のいずれかに切り換えることができる。
従って、このアナログ電子時計１０Ｄは、この時計の仕様などの設定条件に基づいてデータ受信時の検出感度を簡易に切り換えることができるようになっている。
また、書込制御ユニット７０に代えて、データ受信時の検出感度切換用の基板パターンあるいは設定用ヒューズ（比較基準電圧設定手段）を設けることにより、この基板パターンあるいは設定用ヒューズの切断の有無に応じてデータ受信時の検出感度を切り換えるようにしてもよい。
なお、データ検出時の検出感度を切り換える場合に限らず、回転検出時あるいは磁界検出時の検出感度についても高感度、中間度、低感度のいずれかに切り換えるようにしてもよい。
【００５２】
［５．２］  第２変形例
上記説明においては、歩度調整をおこなうための補正データを受信する場合について説明したが、補正データとして、歩度調整用のための温度補正データを受信したり、各種測定用のセンサ内蔵型のアナログ電子時計の場合のセンサ調整用補正データを受信するように構成することも可能である。
各種測定用のセンサとしては、気圧計、高度計として圧力センサや、方位計としてジャイロセンサ、変位センサ、磁気センサなどが考えられる。
【００５３】
［５．３］  第３変形例
上記説明においては、アナログ指針のみを有するアナログ電子時計について説明したが、各種測定用のセンサの測定結果を液晶表示装置にディジタル表示を行うディジタル表示付アナログ電子時計についても適用が可能である。
【００５４】
［５．４］  第４変形例
以上の説明においては、補正データを受信する場合について説明していたが、電子機器の仕様切換を行うための仕様切換データを受信し、受信した仕様切換データに基づいて、ムーブメント状態あるいは外装組込状態で使用切換を行う場合についても適用が可能である。
これにより、仕様切換をアルミマスクによる切換や、ボンディングの有無、基板パターンの切断などにより行う必要がなくなり、仕様毎のＩＣを用意する必要がなくなる。
また、仕様切り換え用の端子を設ける必要もなく、チップサイズが増加することもない。
仕様切換の態様としては、発振信号の分周比を切り換えたり、同一のＩＣで機能を制限するなど、様々な仕様切換に適用することが可能である。
【００５５】
［５．５］  第５変形例
上記実施形態においては、電子機器としてアナログ電子時計を例にとって説明したが、これに限らず、例えば、電動歯ブラシや、電動ひげ剃り、コードレス電話、携帯電話、パーソナルハンディフォン、モバイルパソコン、ＰＤＡ（Personal Digital Assistants：個人向情報端末）などの各種電子機器の調整や、内蔵センサの調整、仕様切換にも適用可能である。
【００５６】
［５．６］  第６変形例
上記実施形態においては、調整データ、補正データなどを送受信する場合について説明したが、調整や補正に用いるばかりでなく、電子機器側で記憶すべき各種データを同様の手法により電子機器側の内部同期信号に非同期で転送する構成とすることも可能である。
これにより大量のデータを容易に転送することが可能となる。
【図面の簡単な説明】
【図１】  第１実施形態のアナログ電子時計の概要構成ブロック図である。
【図２】  第１実施形態の動作タイミングチャートである。
【図３】  第２実施形態のアナログ電子時計の概要構成ブロック図である。
【図４】  第３実施形態のアナログ電子時計の概要構成ブロック図である。
【図５】  第４実施形態のアナログ電子時計の概要構成ブロック図である。
【図６】  第１変形例のアナログ電子時計の概要構成ブロック図である。
【符号の説明】
１０、１０Ａ、１０Ｂ、１０Ｃ、１０Ｄ……アナログ電子時計
１１…発振ユニット
１２……分周ユニット
１３……駆動パルス発生ユニット
１４……モータコイル
１５……モータドライバ
２０……受信ユニット
２１……データ制御ユニット
２２……記憶ユニット
２３……歩度調整ユニット
２４……補正駆動制御ユニット
２５……制御ユニット
２６……リュウズスイッチ（リセットスイッチ）
２７……リセットユニット
３０、３０Ａ、３０Ｂ、３０Ｃ……電圧比較部
３１……コンパレータ
３２……コンパレータ
３３、３５、３６、４１、４２……スイッチ
３４……インバータ
４４、４５、５１、５２……Ｎチャネルトランジスタ
７０……書込制御ユニット
Ｒ1、Ｒ2、Ｒ3、Ｒ4……分圧抵抗
Ｒ11、Ｒ12、Ｒ21、Ｒ22、Ｒ41、Ｒ42……検出抵抗
【図１】
0003698000.tif 000002
【図２】
0003698000.tif 000003
【図３】
0003698000.tif 000004
【図４】
0003698000.tif 000005
【図５】
0003698000.tif 000006
【図６】
0003698000.tif 000007